(57)【特許請求の範囲】
【請求項１】
（Ａ）少なくとも１種の、一般式（Ｉ）で示される変性シリコーン；
0004478370.tif 000016
（式中、Ｒは同一でも異なっていてもよく、いずれも炭素数１〜４の飽和あるいは不飽和の炭化水素基を表し、Ｒ１は炭素数１〜４の飽和あるいは不飽和の炭化水素基を表し、Ｒ２は水素原子または炭素数１〜４の飽和あるいは不飽和の炭化水素基を表し、Ｘはポリオキシアルキレン基を表し、Ｌ、Ｍ、Ｎはそれぞれ繰り返し単位数の平均値を示し、Ｌは０〜５の数を表し、Ｍは１〜１００の数を表し、Ｎは１０〜１０００の数を表す。ただし、ポリオキシアルキレン基Ｘ中のポリオキシエチレン鎖の部分の質量割合は、分子全体の質量を基準として１０％以上５０％未満である）
（Ｂ）分子内に少なくとも１個の炭素数６〜２６の飽和あるいは不飽和の炭化水素基を有するアミン化合物またはその中和物または４級化物あるいはこれらの混合物であって、炭化水素基を２つ以上有する化合物の割合が、（Ｂ）成分の全質量を基準として７０質量％以上であるアミン化合物またはその中和物または４級化物あるいはこれらの混合物；及び
（Ｃ）Ｃ１０〜Ｃ２２の脂肪酸、Ｃ１０〜Ｃ２２の脂肪酸塩、及びＣ１０〜Ｃ２２の脂肪酸とアルコールとのエステル化物からなる群より選ばれる１種以上の化合物；
を含み、
（Ａ）成分：（Ｂ）成分の質量比が５：９５〜５０：５０であることを特徴とする、繊維製品用液体仕上げ剤組成物。
【請求項２】
一般式（Ｉ）において、
Ｒが、メチル基、エチル基、プロピル基又はブチル基であり、
Ｒ１が、メチレン基、エチレン基、プロピレン基又はブチレン基であり、
Ｒ２が、水素原子、メチル基、エチル基、プロピル基又はブチル基であり、
ポリオキシアルキレン基Ｘ中のポリオキシエチレン鎖の部分の質量割合が、分子全体の質量を基準として１０％以上５０％未満であり、
Ｌが０〜１であり、
Ｍが１〜５０であり、
Ｎが２０〜５００である、
請求項１記載の繊維製品用液体仕上げ剤組成物。
【請求項３】
一般式（Ｉ）で表される（Ａ）成分の変性シリコーンの分子量が、３，０００〜２００，０００である請求項１又は２記載の繊維製品用液体仕上げ剤組成物。
【請求項４】
一般式（Ｉ）で表される（Ａ）成分の変性シリコーンの分子量が、５，０００〜１００，０００である請求項３記載の繊維製品用液体仕上げ剤組成物。
【請求項５】
一般式（Ｉ）で表される（Ａ）成分の変性シリコーンが、組成物の全質量を基準として０．５〜３０％含まれる請求項１記載の繊維製品用液体仕上げ剤組成物。
【請求項６】
（Ｂ）成分が、以下の一般式（ＩＩ）〜（ＩＶ）のいずれかで表されるアミン化合物又はその中和物又は４級化物の１種又は２種以上である請求項１記載の繊維製品用液体仕上げ剤組成物。
0004478370.tif 000017
（式中、
Ｒ３は、分断基を含まない炭素数８〜２２の飽和又は不飽和の直鎖又は分岐の炭化水素基である；
Ｒ４は、Ｒ３又はＲ５と同じである；
Ｒ５は、炭素数１〜３のアルキル基又はヒドロキシアルキル基あるいは−（ＣＨ２−ＣＨ（Ｙ）−Ｏ）ｎ−Ｈ（式中、Ｙは水素又はＣＨ３であり、ｎは２〜１０の数である）で表される基である；
Ｒ６は、エステル基、逆エステル基、アミド基、逆アミド基またはエーテル基で分断された炭素数６〜２６の飽和又は不飽和の直鎖又は分岐の炭化水素基である；
Ｒ７およびＲ８は、Ｒ６またはＲ４と同じである。）
【請求項７】
（Ｂ）成分が、一般式（ＩＩＩ）で表されるアミン化合物又はその中和物又は４級化物の１種又は２種以上である請求項６記載の繊維製品用液体仕上げ剤組成物。
【請求項８】
（Ｂ）成分中に含まれる炭化水素基を２つ以上有する化合物の割合が、（Ｂ）成分の全質量を基準として７５〜１００質量％である請求項１記載の繊維製品用液体仕上げ剤組成物。
【請求項９】
（Ｃ）成分が、牛脂脂肪酸、パーム油脂肪酸、大豆油脂肪酸、豚脂脂肪酸、ヒマワリ油脂肪酸、オリーブ油脂肪酸、サフラワー油脂肪酸又はこれらの動植物油の部分水素化物もしくは完全水素化物；ラウリン酸、ミリスチン酸、パルミチン酸、ステアリン酸又はオレイン酸；これらの脂肪酸のＮａ塩、Ｋ塩、Ｃａ塩、Ｍｇ塩又はトリエタノールアミン塩；及びこれらの脂肪酸と低級アルコール又は３〜６価の多価アルコールとのエステル化物からなる群から選ばれる請求項１項記載の繊維製品用液体仕上げ剤組成物。
【請求項１０】
（Ｃ）成分が、パルミチン酸、ステアリン酸、オレイン酸、エライジン酸；これらの脂肪酸のＮａ塩、Ｃａ塩；及びステアリン酸メチル、パルミチン酸メチル、オレイン酸メチル、エライジン酸メチル、モノステアリン及びペンタエリスリトールモノステアレートからなる群から選ばれる請求項９項記載の繊維製品用液体仕上げ剤組成物。
【請求項１１】
（Ｃ）成分が、組成物の全質量を基準として０．５〜５質量％配合される請求項１項記載の繊維製品用液体仕上げ剤組成物。
【請求項１２】
さらに、Ｃ８〜Ｃ２２の直鎖又は分岐鎖を有する高級アルコール、アミン又は脂肪酸メチルエステルにアルキレンオキシドを平均で５〜１００モル付加したノニオン界面活性剤を含有する請求項１項記載の繊維製品用液体仕上げ剤組成物。
【請求項１３】
さらに、エチルアルコール、イソプロピルアルコール、エチレングリコール、プロピレングリコール、イソプロピレングリコール及びヘキシレングリコールからなる群から選ばれる１種以上を含有する請求項１項記載の繊維製品用液体仕上げ剤組成物。
【請求項１４】
残部が精製水である請求項１項記載の繊維製品用液体仕上げ剤組成物。
【請求項１５】
ｐＨが１〜６である請求項１項記載の繊維製品用液体仕上げ剤組成物。
【請求項１６】
多層フィルムからなる収納袋と、該収納袋に充填される請求項１記載の繊維製品用液体仕上げ剤組成物とを含む、収納袋入り繊維製品用液体仕上げ剤組成物。
【請求項１７】
多層フィルムが、ナイロン、ポリエチレン、ポリプロピレン及びポリエチレンテレフタレートからなる群から選ばれる２種以上であり、収納袋の厚さが２０〜４００μｍである請求項１６記載の収納袋入り繊維製品用液体仕上げ剤組成物。
【請求項１８】
使用水量に対する（Ｂ）成分の濃度が２０ｐｐｍ〜３００ｐｐｍとなる量での請求項１記載の繊維製品用液体仕上げ剤組成物の使用。
【発明の詳細な説明】
技術分野
本発明は、衣料等の繊維製品に使用する繊維製品用液体仕上げ剤組成物に関する。特に本発明は、仕上がりに柔軟性や自然なハリが要求されるシャツ類、パンツ類、ブラウス類などの各種の繊維品に使用するのに好適な繊維製品用液体仕上げ剤組成物に関する。
発明の背景
従来から、洗濯後の繊維製品に柔軟性を付与することを目的として、様々な４級アンモニウム塩を主成分として含む繊維製品用仕上げ剤が用いられている。４級アンモニウム塩としてはジ長鎖型の４級アンモニウム塩が一般的に使用されている。しかしながらジ長鎖型の４級アンモニウム塩を主成分とする繊維製品用仕上げ剤は、良好な柔軟性付与効果が得られるものの、繊維や衣類の種類によってはハリやコシを失い好ましくない場合がある。また、洗濯によるシワ低減効果も小さい。
一方、繊維製品用仕上げ剤の各種特性を向上させることを目的としてシリコーン系化合物を４級アンモニウム塩と併用することが試みられている。例えば、特開平１−１６２８７８号公報には、水分散性陽イオン性柔軟剤と特定のシロキサンからなる非イオン性柔軟剤を含む、水性基材織物用コンディショニング処方物が開示されている。また、特開平２−１９１７７４号公報には４級アンモニウム塩と特定のシリコーン誘導体を含有することを特徴とする、濃縮型の衣料用柔軟仕上げ剤が開示されている。しかしながら、繊維製品に好ましい柔軟性を付与すると同時に、繊維製品のハリ、コシを維持し、且つ洗濯によるシワを低減することが可能な繊維製品用仕上げ剤は得られていないのが現状であった。
発明の開示
本発明は、繊維や衣料等の繊維製品に好ましい柔軟性を付与し、かつ繊維製品のハリ、コシを維持するとともに、洗濯によるシワを低減させる効果を有する繊維製品用液体仕上げ剤組成物を提供することを目的とする。
本発明者らは上記の目的を達成するために鋭意検討した結果、特定の変性シリコーンとアミン化合物またはその中和物または４級化物を特定の比率で併用し、さらに特定の脂肪酸化合物を併用することにより、上記課題を達成することができることを見出し、本発明を完成するに至った。
すなわち、本発明は、
（Ａ）少なくとも１種の、一般式（Ｉ）で示される変性シリコーン；
0004478370.tif 000002
（式中、Ｒは同一でも異なっていてもよく、いずれも炭素数１〜４の飽和あるいは不飽和の炭化水素基を表し、Ｒ１は炭素数１〜４の飽和あるいは不飽和の炭化水素基を表し、Ｒ２は水素原子または炭素数１〜４の飽和あるいは不飽和の炭化水素基を表し、Ｘはポリオキシアルキレン基を表し、Ｌ、Ｍ、Ｎはそれぞれ繰り返し単位数の平均値を示し、Ｌは０〜５の数を表し、Ｍは１〜１００の数を表し、Ｎは１０〜１０００の数を表す。ただし、ポリオキシアルキレン基Ｘ中のポリオキシエチレン鎖の部分の質量割合は、分子全体の質量を基準として１０％以上５０％未満である）
（Ｂ）分子内に少なくとも１個の炭素数６〜２６の飽和あるいは不飽和の炭化水素基を有するアミン化合物またはその中和物または４級化物あるいはこれらの混合物であって、分子内に少なくとも１個の炭素数６〜２６の飽和あるいは不飽和の炭化水素基を２つ以上有する化合物の割合が、（Ｂ）成分の全質量を基準として７０質量％以上であるアミン化合物またはその中和物または４級化物あるいはこれらの混合物；及び
（Ｃ）Ｃ１０〜Ｃ２２の脂肪酸、Ｃ１０〜Ｃ２２の脂肪酸塩、及びＣ１０〜Ｃ２２の脂肪酸とアルコールとのエステル化物からなる群より選ばれる１種以上の化合物；
を含み、
（Ａ）成分：（Ｂ）成分の質量比が５：９５〜５０：５０であることを特徴とする、繊維製品用液体仕上げ剤組成物を提供する。
発明を実施するための最良の形態
本発明で用いる（Ａ）成分は、一般式（Ｉ）で表される、変性シリコーンである。
0004478370.tif 000003
一般式（Ｉ）において、Ｒで表される置換基は、互いに同一でも異なっていてもよく、いずれも炭素数１〜４の飽和もしくは不飽和の炭化水素基である。置換基Ｒとしては、メチル基、エチル基、プロピル基、ブチル基などの飽和炭化水素基が好ましく、中でもメチル基が好ましい。
Ｒ１で表される置換基は、炭素数１〜４の飽和もしくは不飽和の直鎖又は分岐の炭化水素基である。置換基Ｒ１としては、メチレン基、エチレン基、プロピレン基、ブチレン基などの飽和炭化水素基が好ましく、中でもプロピレン基が好ましい。
Ｒ２で表される置換基は、水素原子または炭素数１〜４の飽和もしくは不飽和の直鎖又は分岐の炭化水素基である。置換基Ｒ２が炭化水素基である場合には、メチル基、エチル基、プロピル基、ブチル基などの飽和炭化水素基が好ましい。置換基Ｒ２が水素原子であるのが特に好ましい。
Ｘは、ポリオキシアルキレン基を表す。ポリオキシアルキレン基Ｘは、ポリオキシエチレン、ポリオキシプロピレン、ポリオキシブチレン基等であってもよく、あるいはオキシエチレン単位、オキシプロピレン単位、またはオキシブチレン単位などが、ブロック状あるいはランダムに配列してなる基であってもよい。ただし、ポリオキシアルキレン基Ｘ中のポリオキシエチレン鎖の部分の質量割合が、繊維製品に好ましい柔軟性を付与し、かつ洗濯シワを低減するという観点から、分子全体の質量を基準として１０％以上であり、５０％未満であることを要する。ポリオキシアルキレン基Ｘ中のポリオキシエチレン鎖の部分の質量割合は、好ましくは、分子全体の質量を基準として１５％〜４５％であり、さらに好ましくは２０％〜３５％である。また、ポリオキシアルキレン基Ｘの質量を基準とするポリオキシエチレン鎖の部分の質量割合は、５０％〜１００％であるのが好ましく、６５〜１００％であるのがより好ましい。
Ｌ、ＭおよびＮは、いずれも各繰返し単位の数の平均値を表し、Ｌは０〜５、好ましくは０〜１であり、Ｍは１〜１００、好ましくは１〜５０であり、Ｎは１０〜１０００、好ましくは２０〜５００である。なお、一般式（Ｉ）で表される変性シリコーンは、各繰返し単位がブロック状に配列しているブロックコポリマーの構造を有するものであってもよく、あるいは、各繰返し単位がランダムに配列しているランダムコポリマーの構造を有するものであってもよい。
（Ａ）成分としては、一般式（Ｉ）で表される単一の変性シリコーンを使用してもよく、複数の異なる変性シリコーンを使用してもよい。
一般式（Ｉ）で表される変性シリコーンの製造方法は、特に限定されるものではないが、一般に、Ｓｉ−Ｈ基を有するシリコーンオイルと炭素−炭素二重結合を末端に有するポリエーテルとの付加反応により、製造することができる。
本発明で用いる（Ａ）成分の変性シリコーンの分子量は、３，０００〜２００，０００の範囲であるのが好ましく、５，０００〜１００，０００の範囲であるのがさらに好ましい。
（Ａ）成分の変性シリコーンは、十分な仕上げ効果を得るという観点および仕上げ剤の粘度を適度なものとするという観点から、本発明の仕上げ剤組成物中に０．５〜３０質量％配合するのが好適であり、さらに好ましくは１〜２０質量％配合される。なお、本明細書において、各成分の配合量は、精製水又は水性溶媒でバランスをとった場合の値を意味する。
本発明で用いる（Ｂ）成分は、分子内に少なくとも１個の炭素数６〜２６の飽和あるいは不飽和の炭化水素基を有するアミン化合物またはその中和物または４級化物あるいはこれらの混合物である。（Ｂ）成分のアミン化合物またはその中和物または４級化物は、分子内に少なくとも１個、好ましくは１〜３個、最も好ましくは２個の、炭素数６〜２６、好ましくは１４〜２２の飽和あるいは不飽和の、アルキル基又はアルケニル基などの炭化水素基を有する。該炭化水素基は、鎖中にエステル基、逆エステル基、アミド基、逆アミド基、エーテル基等を有していてもよい。なお、これらの炭化水素基は、通常工業的に使用される牛脂由来の未水添脂肪酸や不飽和部を水添或いは部分水添して得られる脂肪酸、パーム椰子、油椰子などの植物由来の未水添脂肪酸や脂肪酸エステル或いは不飽和部を水添或いは部分水添して得られる脂肪酸や脂肪酸エステル等を使用することにより、導入することができる。
（Ｂ）成分であるアミン化合物またはその中和物または４級化物としては、たとえば、次の一般式（ＩＩ）〜（ＩＶ）で表されるアミン化合物またはその中和物または４級化物を挙げることができる。
0004478370.tif 000004
式中、Ｒ３はエステル基などの分断基を含まない炭素数８〜２２の飽和又は不飽和の直鎖又は分岐の炭化水素基であって、不飽和の炭化水素基である場合にはそのシス／トランス比は４０／６０以上であるのが好ましく、
Ｒ４はＲ３またはＲ５であり、
Ｒ５は炭素数１〜３のアルキル基またはヒドロキシアルキル基あるいは−（ＣＨ２−ＣＨ（Ｙ）−Ｏ）ｎ−Ｈ（式中、Ｙは水素又はＣＨ３であり、ｎは２〜１０の数である）で表される基であり、
Ｒ６はエステル基、逆エステル基、アミド基、逆アミド基またはエーテル基で分断された炭素数６〜２６の飽和又は不飽和の直鎖又は分岐の炭化水素基であって、不飽和の炭化水素基である場合にはそのシス／トランス比は４０／６０以上であるのが好ましく、
Ｒ７およびＲ８はＲ６またはＲ４である。
アミン化合物の中和は、通常の酸を用いて行う。酸としては、具体的には塩酸、硫酸、リン酸等の無機酸、安息香酸、クエン酸、リンゴ酸、コハク酸、アクリル酸等の有機酸を挙げることができる。
アミン化合物の４級化物は、過アルキル化法により長鎖アルキル基を有する３級アミンに更にアルキル基を結合することにより得てよい。過アルキル化剤としてはジメチル硫酸又は塩化ベンジルを使用することができる。また、これらの過アルキル化剤の代わりに、沃化メチル、塩化メチル、塩化エチル、臭化ブチル等の低級ハロゲン化アルキル、ジエチル硫酸、又はエピクロロヒドリン等を使用してもよい。
アミン化合物の４級化物はまた、低級３級アミンに長鎖ハロゲン化アルキルを作用させることにより得てもよい。長鎖ハロゲン化アルキルは、鎖中にエーテル結合を有するものであってもよい。長鎖ハロゲン化アルキルの代わりに、脂肪酸のクロロメチルエステル、クロロエチルエステル、又はクロロプロピルエステル等のクロロアルキルエステル、あるいはクロロメチル化酸アミド等を使用してもよい。
上記のアミン化合物又はその中和物あるいは４級化物を、単独で、又は２種以上の混合物として使用することができる。
本発明に用いられる（Ｂ）成分中に占める、２つ以上の炭化水素基をもつアミン化合物、その中和物、４級化物又はこれらの混合物の比率が７０質量％以上、好ましくは７５〜１００質量％にすることにより、更に良好な柔らかさを付与することができる。
（Ｂ）成分のアミン化合物またはその中和物または４級化物は、十分な仕上げ効果を得るという観点および仕上げ剤の粘度を適度なものとするという観点から、本発明の仕上げ剤組成物中に３〜５０質量％配合するのが好適であり、さらに好ましくは５〜３０質量％配合される。
本発明の繊維製品用仕上げ剤組成物中の（Ａ）成分：（Ｂ）成分の質量比は、繊維製品に好ましい柔軟性を付与すると同時に繊維製品のハリやコシを維持し、洗濯によるシワを低減するという観点から、５：９５〜５０：５０の範囲内であり、１０：９０〜４０：６０の範囲内であるのが好ましい。
（Ｃ）成分はＣ１０〜Ｃ２２の脂肪酸、Ｃ１０〜Ｃ２２の脂肪酸塩、及びＣ１０〜Ｃ２２の脂肪酸とアルコールとのエステル化物からなる群より選ばれる１種以上の化合物である。（Ｃ）成分を配合することにより、衣類に対してより良い柔軟性能を付与することができる。
Ｃ１０〜Ｃ２２、好ましくはＣ１２〜Ｃ２０の炭化水素部分としては、直鎖又は分岐鎖の脂肪族又は環式炭化水素基をあげることができる。このような脂肪酸としては、動植物油脂及び動植物油脂から誘導される脂肪酸があげられ、具体的には、牛脂脂肪酸、パーム油脂肪酸、大豆油脂肪酸、豚脂脂肪酸、ヒマワリ油脂肪酸、オリーブ油脂肪酸、サフラワー油脂肪酸又はこれらの動植物油の部分水素化物もしくは完全水素化物、ラウリン酸、ミリスチン酸、パルミチン酸、ステアリン酸、オレイン酸又はエライジン酸等があげられるが特にこれらに限定されない。このうち、パルミチン酸、ステアリン酸、オレイン酸又はエライジン酸が好ましい。
脂肪酸の中和塩を用いる場合はＮａ塩、Ｋ塩、Ｃａ塩、Ｍｇ塩、トリエタノールアミン塩が好ましく、Ｎａ塩、Ｃａ塩がより好ましい。
（Ｃ）成分のエステル化物としては具体的に次のものを例示できる。メタノール、エタノール、イソプロピルアルコールなどの低級アルコールや、グリセリン、ペンタエリスリトール、ソルビトール、トリエタノールアミンなどの３〜６価の多価アルコールとラウリン酸、パルミチン酸、ステアリン酸、オレイン酸、エライジン酸などの長鎖脂肪酸とのエステル化物をあげることができる。多価アルコールとのエステル化物の場合にはすべてのＯＨ基をエステル化するよりも、一部のＯＨ基のみエステル化したものの方が好ましい。
（Ｃ）成分のエステル化物として特に好ましいものは、ステアリン酸メチル、パルミチン酸メチル、オレイン酸メチル、エライジン酸メチル、モノステアリン、ペンタエリスリトールモノステアレートである。
（Ｃ）成分の配合量は本発明の仕上げ剤組成物に対して０．５〜５質量％、好ましくは０．８〜３質量％配合される。この配合量がこの範囲内にあると良好な柔軟性能を付与することができ、しかも繊維製品のハリ、コシを維持するので好ましい。
本発明の仕上げ剤組成物はアミン化合物の繊維に対する吸着性を向上させる為に、ｐＨを１〜６の範囲であるのが好ましく、ｐＨ２〜５の範囲であるのがより好ましい。
本発明の仕上げ剤組成物には、本発明の効果を妨げない範囲で、通常の家庭用仕上げ剤に使用されている添加剤などを使用することができる。そのような添加剤として、具体的には、Ｃ８〜Ｃ２２の直鎖又は分岐鎖を有する高級アルコール、アミン又は脂肪酸メチルエステルに、アルキレンオキシドを平均で５〜１００モル付加したノニオン界面活性剤；高級アルコール；食塩、塩化アンモニウム、塩化カルシウム、塩化マグネシウム、塩化カリウム等の水溶性塩；エチルアルコール、イソプロピルアルコール、エチレングリコール、プロピレングリコール、イソプロピレングリコール、ヘキシレングリコール等の溶剤；尿素；殺菌剤；酸化防止剤；染料；顔料；炭化水素；セルロース誘導体；紫外線吸収剤；蛍光増白剤；及び香料等が挙げられる。
上記ノニオン界面活性剤を形成するアルキレンオキサイドとしては、エチレンオキサイド、プロピレンオキサイド、ブチレンオキサイドがあげられるが、このうち、エチレンオキサイドが好ましい。エチレンオキサイドとともに、プロピレンオキサイド、ブチレンオキサイドを付加したものもまた含まれる。
上記ノニオン界面活性剤としては、Ｃ８〜Ｃ２２の直鎖又は分岐鎖を有する高級アルコールにエチレンオキサイドを５〜１００モル付加したものが好ましい。  上記ノニオン界面活性剤を形成する高級アルコールの炭素鎖長は、、好ましくはＣ１０〜Ｃ１６、より好ましくはＣ１２〜Ｃ１４である。上記ノニオン界面活性剤を形成するアミン又は脂肪酸メチルエステルの炭素鎖長は、好ましくはＣ１０〜Ｃ１８、より好ましくはＣ１２〜Ｃ１８である。
エチレンオキシドの平均付加モル数は、１０〜８０モルが好ましく、特に好ましくは２０〜６０モルである。エチレンオキサイドとともに付加するプロピレンオキサイド、ブチレンオキサイドの平均付加モル数としては好ましくは１〜５であり、より好ましくは１〜３モルである。上記ノニオン界面活性剤は、Ｃ８〜Ｃ２２の直鎖又は分岐鎖を有する高級アルコール、アミン又は脂肪酸メチルエステルにエチレンオキサイドを付加した後、プロピレンオキサイド又はブチレンオキサイドを付加することにより製造しても、あるいはプロピレンオキサイド、ブチレンオキサイドを付加した後、エチレンオキサイドを付加することにより製造しても、さらにエチレンオキサイド、プロピレンオキサイド、ブチレンオキサイドをランダムに付加することにより製造してもよい。
これらの任意成分の配合量は、本発明の仕上げ剤組成物の効果を妨げない範囲であれば特に制限されない。例えば、前記ノニオン界面活性剤は、０．１〜１０質量％で配合するのが好ましく、０．５〜５質量％で配合するのがより好ましい。高級アルコールは、０．１〜５質量％で配合するのが好ましく、０．１〜３質量％で配合するのがより好ましい。食塩や塩化カルシウム等の水溶性塩は、０．０５〜３質量％で配合するのが好ましく、０．１〜２質量％で配合するのがより好ましい。エチルアルコール、イソプロピルアルコール、エチレングリコール等の溶剤は、０．１〜２０質量％で配合するのが好ましく、０．１〜１０質量％で配合するのがより好ましい。
本発明品を収める容器としては、以下の計量キャップ、ノズルキャップ本体からなるものを使用することができる。この際、計量キャップの材質の代表例としては、高密度ポリエチレン、低密度ポリエチレン、ポリエチレンテレフタレート、ポリプロピレン、ポリカーボネート、アクリル樹脂などの材質のものが選ばれ、内容積は１０〜８０ｍＬが望ましい。計量キャップの断面形状は円状が一般的であるが、四角形、六角形、八角形などの多角形でも良い。また必要に応じて内面または外面に容量表示のための刻印または印刷、またはすべり止めのためのローレットを施すことができる。また、顔料、帯電防止剤、紫外線吸収剤、スリッピング剤などを含むこともできる。
また、ノズルキャップは本体の口筒に組みつくキャップ体であって、筒形状の組み付き筒内に、それを上下に隔てる隔壁を設け、この隔壁に内容物を注出する注出口を有する。ここで用いられる部材の材質は高密度ポリエチレン、低密度ポリエチレン、ポリエチレンテレフタレート、ポリプロピレン、ポリカーボネート、アクリル樹脂などの材質のものが選ばれる。また、顔料、帯電防止剤、紫外線吸収剤、スリッピング剤などを含むこともできる。
容器本体は、高密度ポリエチレン、低密度ポリエチレン、ポリエチレンテレフタレート、ポリプロピレン、ポリカーボネート、アクリル樹脂などの材質のものが選ばれる。本体の横断面形状は円状、楕円状などいずれでもよいが、内容量は２００〜３０００ｍＬ程度のものが使用される。取っ手、ラベルなどを付与して使用性を向上することもできる。また、顔料、帯電防止剤、紫外線吸収剤、スリッピング剤などを含むこともできる。
また、本発明品は多層フィルムからなる収納袋にいれることもできる。図１に本発明を収容することができる収納袋を示すが、図１はそのような一態様を示すものであってこれに制限されるものではない。
図１の自立性収納袋１は、プラスチックフィルムをヒートシールして形成されたシール部２に、収納袋本体３と切除部４とを分画する切断誘導線５を有すると共に収納袋本体の液剤収容部６から前記切断誘導線５を越える位置まで延びる管状の閉路７を有している。この閉路７は、切断誘導線５に沿って切除部４を切断したとき切断誘導線５の位置を注出口９とする液剤の注出路８を形成する。注出路８は、外側に膨出した筒状になっており、移液が容易に行えるようになっている。また、注出路近傍には、リブ１１が存在し、移液時に詰め替え用容器が折れ曲がって注出路が閉塞するのを防ぐ役割を果たしている。
また、注出路８の少なくとも注出口９近傍が、その上下に形成されているシール部２ａ、２ａを伴って収納袋本体３から突出するように形成されている。注ぎ口１０の形状は、特に限定されない。注出路の位置は、容器上部の特に角が好ましい。注ぎ口はハサミで切れる、または手で切れるどちらの方法を備えた収納袋でも構わない。手で切れる場合は、フィルムの構成で対応したり、または炭酸ガスレーザーによる少なくとも１本の連続の切れ目線ないし、不連続のミシン目状切れ目線であってもよい。また、注ぎ口にパイプを備え付けたものでも構わない。
多層フィルムを構成する材料としては、内容物の性状安定性・香気安定性、収納袋の強度、経済性、容器使用性の点から、ナイロン、ポリエチレン、ポリプロピレン、エチレンビニルアルコール共重合体、及びポリエチレンテレフタレートなどを挙げることができる。多層フィルムは２種以上を用いるが、また同一のフィルムを２層以上用いることもできる。この中でも特に、ナイロン、ポリエチレン、ポリプロピレン、ポリエチレンテレフタレートの内から２種以上を組み合わせて使用することが望ましい。多層フィルムを使用して、収納袋を製造する場合、各層に使用するフィルムをラミネートし、ヒートシールする方法によることができるが、特定の成型方法に限定されるものではない。
収納袋の厚さは、内容物の性状安定性・香気安定性、包装体の強度、経済性の点から、２０〜４００μｍの範囲内であるのが好ましい。２０μｍより小さいと包装体の強度が弱くなり、輸送中の落下などにより内容物が洩れる恐れがある。また４００μｍより大きいと、経済的でなく環境への負荷が大きいばかりでなく、包装体全体が硬くなり消費者が使用する際に使用性が劣る。
本発明の繊維製品用仕上げ剤組成物は、（Ａ）成分、（Ｂ）成分、（Ｃ）成分および必要に応じて任意成分を、精製水または水性溶媒中に溶解あるいは分散させることにより、調製することができる。この場合、使用可能な溶媒としては、エタノール、イソプロピルアルコール等の低級アルコール、エチレングリコール、プロピレングリコール、グリセリン、ヘキシレングリコール等の多価アルコールなどが挙げられる。
また、本発明の繊維製品用仕上げ剤組成物は、実際に繊維製品の仕上げを行う際の全使用水量に対し、（Ｂ）成分の濃度が２０ｐｐｍ〜３００ｐｐｍとなるような量で使用するのが望ましく、４５ｐｐｍ〜２００ｐｐｍとなるような量で使用するのがさらに望ましい。
実施例
以下、実施例により本発明をさらに詳細に説明するが、本発明はこれに限定されるものではない。
（ａ）成分
変性シリコーンとして、次の表１に示す構造を有する本発明の変性シリコーンＡ−１〜Ａ−５及び比較のための変性シリコーンＡ−６を使用した。
0004478370.tif 000005
（Ｂ）成分
アミン化合物又はその中和物又は４級化物として、以下の表２に示す構造を有するＢ−１〜Ｂ−１４を使用した。
0004478370.tif 000006
0004478370.tif 000007
上記Ｂ−１、Ｂ−２、およびＢ−９、Ｂ−１３記載の長鎖炭化水素基は、炭素数１８の飽和脂肪酸と炭素数１８の不飽和基を１個有する不飽和脂肪酸とを混合したものから合成され、最終的に、飽和炭化水素基／不飽和炭化水素基の割合が、質量比で８０／２０であり、また、不飽和炭化水素基の立体異性体のシス／トランス比は４５／５５であった。また、上記のアシルオキシエチル基、アシルアミノエチル基（Ｂ−３〜Ｂ−７およびＢ−１０、Ｂ−１１、Ｂ−１３、Ｂ−１４）は、炭素数１８の飽和脂肪酸と炭素数１８の不飽和基を１個有する不飽和脂肪酸とを混合したものを原料とし、最終的に、飽和アシル／不飽和アシルの割合が、質量比で６０／４０であり、また、不飽和アシルの立体異性体のシス／トランス比は４５／５５であった。また、上記のアシルオキシエチル基、アシルアミノプロピルエチル基（Ｂ−８、Ｂ−１２）は、炭素数１８の飽和脂肪酸と炭素数１６の飽和脂肪酸を原料とし、最終的に１８／１６の比率が質量比で７０／３０であった。
（Ｃ）成分
Ｃ１０〜Ｃ２２の脂肪酸、脂肪酸塩又はそのエステル化物として、以下の表３に示すＣ−１〜Ｃ−３及び比較のためのＣ−４を使用した。
0004478370.tif 000008
仕上げ剤組成物の調製
以下の表４及び５に示す組成により、（Ａ）〜（Ｃ）成分に、任意成分としてイソトリデシルアルコールエチレンオキシド付加物（平均４０モル付加）を１質量％、塩化カルシウム０．３質量％、エチレングリコール３質量％、香料０．６質量％、ブルシン変性エタノール３質量％、ポリエチレングリコール（平均分子量１５００）０．２質量％、ケーソンＣＧ（ローム＆ハース（株）製）０．０１質量％、アシッドレッド１３８を１０ｐｐｍ、及びｐＨ調整剤（塩酸、水酸化ナトリウム）をバランス量の精製水に乳化分散させて仕上げ剤組成物を調製した。配合した香料の組成は表６に示す。
0004478370.tif 000009
0004478370.tif 000010
0004478370.tif 000011
0004478370.tif 000012
0004478370.tif 000013
なお、比較例１〜４、実施例１〜２はｐＨ５．０に調整し、比較例５、実施例３〜８はｐＨ３．０に調整した。
仕上げ剤組成物の評価方法
（１）仕上げ剤による仕上げ処理
市販ダンガリーシャツ（綿１００％）を市販洗剤「スーパートップ」（ライオン（株）社製）により電気洗濯機を用いて洗浄した。ついですすぎ３回目に表５に示す仕上げ剤組成物を水量３０Ｌに対して２０ｇ加えて衣料の仕上げ処理を行った。その後、衣料をハンガーに掛け、２０℃、４０％ＲＨの条件で自然乾燥し、以下の評価を行った。
（２）表４中の比較例１の組成物を使用して仕上げ処理したダンガリーシャツを対照として専門パネラー５人による官能一対比較を行ない、以下の表７に示す基準で評価を行った。
0004478370.tif 000014
結果を表８に示す。
0004478370.tif 000015
本発明によれば、特定の変性シリコーンとアミン化合物またはその中和物または４級化物及び特定の脂肪酸化合物を併用することにより、繊維製品に好ましい柔軟性を付与すると同時にハリやコシを維持し、洗濯によるシワを低減するという効果を得ることができる。
【図面の簡単な説明】
図１は、自立性収納袋の斜視図及び横断面図を示す。
【図１】
0004478370.tif 000018